(57)【特許請求の範囲】
【請求項１】
先端面に開口する中空部の内面に端子片を配設したプラグの先端部が挿入されるプラグ挿入孔が前面に開口し、前記プラグ挿入孔を通して前記プラグの先端部が挿入されるプラグ挿入空間を内部に備えたコネクタ本体と、前記プラグ挿入空間に挿入される前記プラグの端子片に電気的に接続されるコンタクトとを備え、前記コネクタ本体には、前記プラグ挿入空間に挿入された前記プラグの中空部に挿入される突出部が設けられ、当該突出部には前記端子片と対向する面に接触片収納溝が形成されるとともに、前記コネクタ本体の後面から前記突出部の基部にかけて前記コンタクトが圧入される圧入溝がプラグ挿入方向に沿って形成され、前記コンタクトは、幅方向の両側縁に側方に突出する圧入片が形成され、コネクタ本体の後面側から圧入溝内に圧入されて前記圧入片を圧入溝に係合させることで圧入溝内に固定される基部と、当該基部の前端部からプラグ挿入孔側に向かって延設され、略く字状に形成された折曲部を接触片収納溝から外側に突出させた状態で接触片収納溝内に配置され、前記プラグ挿入空間に挿入されるプラグの端子片に弾接する接触片とを一体に有し、前記突出部の内部であって、プラグの挿入方向において前記プラグ挿入空間と重なる部位に前記圧入溝の少なくとも一部を設けたことを特徴とするコネクタ。
【発明の詳細な説明】
【０００１】
【発明の属する技術分野】
本発明は、コネクタに関するものである。
【０００２】
【従来の技術】
この種のコネクタとしてはマルチメディア関連の家電製品、例えばディジタルビデオカメラに用いられ、ディジタルビデオカメラとコンピュータとの間の信号伝送に用いられるものがあり、図７および図８に示すように、基板に実装される受け側のコネクタ（以下、レセプタクルという）Ａ’と、レセプタクルＡ’に着脱自在に接続される差込側のコネクタ（以下、プラグという）Ｂとで構成されるものがあった。
【０００３】
レセプタクルＡ’は、絶縁性を有する合成樹脂成型品からなるボディ２と、ボディ２に被着されボディ２周面の一部を覆う金属製のシェル３とで構成されるコネクタ本体１を有しており、ボディ２前面を覆うシェル３の部位にはプラグＢが挿入されるプラグ挿入孔４が開口している。なお、説明を簡単にするため図７中の左右方向を前後方向として以下の説明を行う。
【０００４】
一方、プラグＢの先端にはレセプタクルＡ’のプラグ挿入孔４内に挿入される接続部２１が突設され、接続部２１の先端面にはプラグＢの挿入方向に沿って中空部２２が設けられ、中空部２２の内面には導電材料から形成された端子片２３が配設されている。
【０００５】
また、コネクタ本体１の内部には、プラグ挿入孔４を介してプラグＢが挿入されるプラグ挿入空間５が設けられており、このプラグ挿入空間５内には、プラグＢの中空部２２内に挿入されるガイド部６がプラグ挿入孔４に臨むようにしてボディ２に突設されている。また、ボディ２の天井面にはプラグ挿入空間５と連通する開口７が設けられている。ボディ２の天井面にはプラグ挿入空間５内に挿入されるプラグＢを保持するための押さえ金具８が取着され、押さえ金具８のプラグ挿入孔４側の端縁からはプラグＢの接続部２１周面と弾接する弾性を有する弾接片８ａが延設されており、弾接片８ａは開口７を介してプラグ挿入空間５内に突出している。而して、プラグＢの接続部２１をプラグ挿入孔４からコネクタ本体１内に挿入すると、弾接片８ａが接続部２１の周面と弾接し、ガイド部６と弾接片８ａとの間で接続部２１が挟持され、プラグＢがレセプタクルＡ’に保持される。
【０００６】
またボディ２後面の底面側の部位には、プラグＢの挿入方向に沿って走る圧入溝９がボディ２の短幅方向に複数個穿設されている。ボディ２底面側のガイド部６の端面にはプラグＢの挿入方向に沿って走る接触片収納溝６ａが複数形成されており、各接触片収納溝６ａはそれぞれ圧入溝９に連通している。圧入溝９にはプラグＢの端子片２３と電気的に接続するコンタクト１０が圧入溝９内にプラグ挿入孔４と反対側から圧入される。コンタクト１０は圧入溝９の底部に圧入により固定される基部１１を有している。プラグ挿入空間５側の基部１１の端部からはボディ２の天井側に向かって伸びる連結片１４が延設されると共に、連結片１４の先端部からはプラグ挿入孔４側に向かって伸びる接触片１２が延設されている。接触片１２はボディ２の底面側に突出する略く字状に形成され、ガイド部６の接触片収納溝６ａ内に配置されており、接触片１２の一部は接触片収納溝６ａからボディ２底面側に突出している。一方、プラグ挿入空間５と反対側の基部１１の端部からはボディ２底面側に向かって伸びる略Ｌ字状の端子片１３が延設され、端子片１３の先端は基板（図示せず）の電極に電気的に接続される。
【０００７】
【発明が解決しようとする課題】
上記構成のレセプタクルＡ’では、プラグＢをレセプタクルＡ’に差し込む際にプラグＢの接続部２１によってコンタクト１０がプラグＢの挿入方向に押圧され、コンタクト１０が抜ける方向に力がかかるので、コンタクト１０が抜けるのを防止するために、コンタクト１０をボディ２に圧入により固定していた。
【０００８】
従来のレセプタクルＡ’では、プラグＢの挿入方向において、基部１１を保持する部位がプラグ挿入空間５と異なる部位に設けられており、コンタクト１０の保持のみに必要なスペースが大きくなって、全体としてプラグＢの挿入方向におけるレセプタクルＡ’の寸法（奥行き寸法）Ｌ２が大きくなっていた。
【０００９】
ところで、ディジタルビデオカメラなどの用途では例えばＩＥＥＥ１３９４の規格によって、レセプタクルＡ’の幅寸法や高さ寸法およびプラグＢの差込寸法Ｌ１が定められている。したがって、レセプタクルＡ’の奥行き寸法を小さくするためには、コンタクト１０の基部１１をプラグ挿入空間５側に移動させて、コンタクト１０の保持のみに必要なスペースを小さくすれば良いが、基部１１から延設された連結片１２がプラグＢの接続部２１先端と干渉するため、コンタクト１０の保持に必要な空間とプラグ挿入空間５とをプラグＢの挿入方向において分離しており、コンタクト１０の基部１１をプラグ挿入空間５側に移動させることによってコンタクト１０の保持のみに必要なスペースを小さくすることができず、レセプタクルＡ’を基板に実装するために必要な実装面積が大きくなるという問題があった。
【００１０】
本発明は上記問題点に鑑みて為されたものであり、その目的とするところは、基板の占有面積を小さくしたコネクタを提供することにある。
【００１１】
【課題を解決するための手段】
上記目的を達成するために、請求項１の発明では、先端面に開口する中空部の内面に端子片を配設したプラグの先端部が挿入されるプラグ挿入孔が前面に開口し、プラグ挿入孔を通してプラグの先端部が挿入されるプラグ挿入空間を内部に備えたコネクタ本体と、プラグ挿入空間に挿入されるプラグの端子片に電気的に接続されるコンタクトとを備え、コネクタ本体には、プラグ挿入空間に挿入されたプラグの中空部に挿入される突出部が設けられ、当該突出部には端子片と対向する面に接触片収納溝が形成されるとともに、コネクタ本体の後面から突出部の基部にかけてコンタクトが圧入される圧入溝がプラグ挿入方向に沿って形成され、コンタクトは、幅方向の両側縁に側方に突出する圧入片が形成され、コネクタ本体の後面側から圧入溝内に圧入されて圧入片を圧入溝に係合させることで圧入溝内に固定される基部と、当該基部の前端部からプラグ挿入孔側に向かって延設され、略く字状に形成された折曲部を接触片収納溝から外側に突出させた状態で接触片収納溝内に配置され、プラグ挿入空間に挿入されるプラグの端子片に弾接する接触片とを一体に有し、突出部の内部であって、プラグの挿入方向においてプラグ挿入空間と重なる部位に圧入溝の少なくとも一部を設けたことを特徴とし、コンタクトは突出部からプラグ挿入空間内に一部を臨ませた状態で突出部内に配設されているので、プラグをプラグ挿入孔から挿入すると、中空部内に突出部が挿入されてコンタクトと端子片とが電気的に接続され、コンタクト保持部の少なくとも一部が、プラグの先端部に形成された中空部に挿入される突出部内に設けられているので、コンタクトとプラグの先端部とが干渉する虞はなく、したがってコンタクトをコネクタ本体に保持するために必要な空間とプラグ挿入空間の一部をプラグの挿入方向においてオーバーラップさせることができ、その結果コンタクトの保持のみに必要な空間が小さくなり、コンタクトの保持に必要な空間を従来のコネクタと同じだけ確保したとしても、全体としてプラグ挿入方向におけるコネクタ本体の寸法を小さくすることができる。
【００１２】
【発明の実施の形態】
本発明の実施の形態を図面を参照して説明する。
【００１３】
（実施形態１）
本実施形態のコネクタを図１乃至図５を参照して説明する。
【００１４】
受け側のコネクタ（以下、レセプタクルという）Ａは、絶縁性を有する合成樹脂成型品からなるボディ２と、ボディ２に被着されボディ２の周面の一部を覆う金属製のシェル３とで構成されるコネクタ本体１を有しており、ボディ２前面を覆うシェル３の部位には差込側のコネクタ（以下、プラグという）Ｂが挿入されるプラグ挿入孔４が開口している。なお、説明を簡単にするため図１中の左右方向を前後方向として以下の説明を行う。
【００１５】
プラグＢの先端にはレセプタクルＡのプラグ挿入孔４内に挿入される接続部（先端部）２１が突設されており、接続部２１の先端面にはプラグＢの差込方向に沿って中空部２２が設けられ、中空部２２の内面には導電材料から形成された端子片２３が配設されている。
【００１６】
また、コネクタ本体１の内部には、プラグ挿入孔４を介してプラグＢが挿入されるプラグ挿入空間５が設けられ、このプラグ挿入空間５内には、プラグＢの中空部２２内に挿入される突出部としてのガイド部６がプラグ挿入孔４に臨むようにしてボディ２に突設されている。また、ボディ２の天井面にはプラグ挿入空間５と連通する開口７が設けられている。ボディ２の天井面にはプラグ挿入空間５内に挿入されるプラグＢを保持するための押さえ金具８が取着され、押さえ金具８のプラグ挿入孔４側の端縁からはプラグＢの接続部２１周面と弾接する弾性を有する弾接片８ａが延設されており、弾接片８ａは開口７を介してプラグ挿入空間５内に突出している。而して、プラグＢの接続部２１をプラグ挿入孔４からコネクタ本体１内に挿入すると、弾接片８ａが接続部２１の周面と弾接し、ガイド部６と弾接片８ａとの間で接続部２１が挟持され、プラグＢがレセプタクルＡに保持される。
【００１７】
ところで、図１及び図４に示すように、ボディ２の後面からガイド部６の基部にかけて、プラグＢの挿入方向に沿って走るコンタクト保持部としての圧入溝９がボディ２の短幅方向に複数個穿設されており、プラグＢの端子片２３と電気的に接続するコンタクト１０が圧入溝９内にボディ２後面側から圧入される。また、ボディ２底面側のガイド部６の端面には、プラグＢの挿入方向に沿って走る接触片収納溝６ａが複数形成されており、各接触片収納溝６ａはそれぞれ圧入溝９に連通している。圧入溝９は図４に示すように断面略Ｔ字状に形成されており、圧入溝９の上端部は他の部位よりも幅広に形成されている。
【００１８】
コンタクト１０は圧入溝９の上端部に圧入により固定される基部１１を有している。基部１１の幅方向における両側縁には側方に突出する係合部としての圧入片１１ａが突設されており、コンタクト１０を圧入溝９内に圧入すると、圧入片１１ａの先端が圧入溝９の端面に食い込み、基部１１が圧入溝９内に固定される。なお、圧入片１１ａは圧入方向と反対側に傾斜しているので、コンタクト１０に圧入方向と反対方向の力が加わったとしても、コンタクト１０が抜けにくくなっている。
【００１９】
基部１１のプラグ挿入空間５側の端部からは、プラグ挿入孔４側に向かって伸びる接触片１２が延設されている。接触片１２はボディ２の底面側に突出する略く字状に形成され、ガイド部６の接触片収納溝６ａ内に配置されており、接触片１２の折曲部１２ａは接触片収納溝６ａからボディ２の底面側に向かって突出している。一方、基部１１のボディ２後面側の端部からは、ボディ２の底面側に向かって伸びる略Ｌ字状の端子片１３が延設されており、端子片１３の先端は図示しない基板の電極に電気的に接続される。なお、ボディ２の底面にはレセプタクルＡを基板に固定する際の位置決め用のボス２ａが突設され、ボディ３の両側面の下端からは位置決め用の脚片３ａが突設されている。
【００２０】
プラグＢの接続部２１をプラグ挿入孔４からプラグ挿入空間５内に挿入すると、接続部２１に設けられた中空部２２内にガイド部６が挿入され、ガイド部６の接触片収納溝６ａからボディ２底面側に突出する接触片１２の折曲部１２ａがプラグＢの端子片２３に弾接し、接触片１２と端子片２３とが電気的に接続される。このように、プラグＢの挿入時にプラグＢの中空部２２内にガイド部６が挿入されるので、中空部２２とガイド部６とによって、プラグＢの位置決めを行うことができる。また、接触片１２は折曲部１２ａのみが接触片収納溝６ａから外部に突出しており、接触片１２の先端は接触片収納溝６ａ内に収納されているので、プラグＢの挿入時に、プラグＢの接続部２１が接触片１２の先端を押圧して、コンタクト１０が変形するのを防止することができる。
【００２１】
本実施形態のレセプタクルＡでは、図１に示すように、コンタクト１０の基部１１に設けられた圧入片１１ａが圧入される圧入溝９をボディ２の後面からガイド部６にかけて設けており、ガイド部６内であればプラグＢの接続部２１と干渉する虞がないため、コネクタ本体１内部におけるプラグ挿入空間５の外側の部位であって、プラグＢの挿入方向においてプラグ挿入空間５と重なる部位に圧入溝９の一部を形成している。すなわち、プラグ挿入空間５とコンタクト１０の保持に用いる空間の一部がプラグＢの挿入方向においてオーバーラップしているので、コンタクト１０を圧入固定するための圧入溝９を従来のレセプタクルＡ’と同程度確保したとしても（すなわち、コンタクト１０をボディ２に保持する保持力を従来のレセプタクルＡ’と同程度確保したとしても）、全体としてコネクタ本体１の奥行き寸法Ｌ２を従来のレセプタクルＡ’に比べて小さくすることができる。
【００２２】
したがって、図５に示すように、基板３０にレセプタクルＡを表面実装する際に必要な実装面積Ｓ１が従来のレセプタクルＡ’の実装面積Ｓ２に比べて小さくて済むから、レセプタクルＡが実装される機器の小型化を図ることができる。また、プラグＢの位置決めや、コンタクト１０を保護するためのガイド部６をコンタクト１０の保持にも利用しているので、コンタクト１０の形状が従来のレセプタクルＡ’に比べて複雑になることがなく、単純な部品形状でコネクタ本体１の小型化を図ることができる。
【００２３】
（参考例）
本参考例のコネクタを図６（ａ）（ｂ）を参照して説明する。なお、実施形態１と同一の構成要素には同一の符号を付してその説明を省略する。
【００２４】
実施形態１のレセプタクルＡでは、ボディ２後面からガイド部６にかけて圧入溝９を形成していたが、本参考例では、ボディ２におけるプラグ挿入空間５と底面との間の部位に圧入溝９を形成するとともに、ボディ２の後面にガイド部６に設けられた各接触片収納溝６ａにそれぞれ連通する連通孔２ｂを穿設している。
【００２５】
一方、コンタクト１０は圧入溝９内に圧入により固定される基部１１を有している。基部１１は実施形態１と同様の構成を有しており、基部１１の幅方向における両側縁には側方に突出する圧入片１１ａが設けられ、コンタクト１０を圧入溝９内に圧入すると、圧入片１１ａの先端が圧入溝９の端面に食い込み、基部１１が圧入溝９内に固定される。
【００２６】
基部１１のボディ２後面側の端部からは、ボディ２の天井面側に向かって伸びる略Ｌ字状の連結片１５が延設され、連結片１５の先端部は連通孔２ｂ内に配置されている。さらに連結片１５の先端部からはプラグ挿入孔４側に向かって伸びる接触片１２が延設されている。接触片１２はボディ２の底面側に突出する略く字状に形成され、ガイド部６の接触片収納溝６ａ内に配置されており、接触片１２の折曲部１２ａは接触片収納溝６ａからボディ２の底面側に向かって突出している。一方、基部１１のプラグ挿入空間５側の端部からは、ボディ２の後面側に向かって伸びる連結片１６が延設され、さらに連結片１６の先端には略Ｌ字状の端子片１３が延設されており、端子片１３の先端は図示しない基板の電極に電気的に接続される。
【００２７】
ところで、上述のようにレセプタクルＡの高さ寸法やプラグ挿入孔４の寸法・形状については規格によって規定されているので、プラグ挿入空間５の底面側には必ず樹脂成型品からなるボディ２が存在する。そこで、本参考例のレセプタクルＡでは、コンタクト１０の基部１１に設けられた圧入片１１ａが圧入される圧入溝９を、ボディ２におけるプラグ挿入空間５と底面との間の部位（すなわち、プラグ挿入空間５およびガイド部６を除くコネクタ本体１内部の部位）に設けており、ボディ２におけるプラグ挿入空間５と底面との間の部位であれば、プラグＢの接続部２１と干渉する虞がないため、ボディ２におけるプラグ挿入空間５と底面との間の部位であって、プラグＢの挿入方向においてプラグ挿入空間５と重なる部位に圧入溝９の一部を形成している。
【００２８】
すなわち、プラグ挿入空間５およびガイド部６を除くコネクタ本体１内部の部位であって、プラグＢの挿入方向においてプラグ挿入空間５と重なる部位に、コンタクト１０が圧入される圧入溝９の少なくとも一部を設けることにより、プラグ挿入空間５とコンタクト１０の保持に用いる空間の一部がプラグＢの挿入方向においてオーバーラップしているので、コンタクト１０を圧入固定するための圧入溝９を従来のレセプタクルＡ’と同程度確保したとしても（すなわち、コンタクト１０をボディ２に保持する保持力を従来のレセプタクルＡ’と同程度確保したとしても）、全体としてコネクタ本体１の奥行き寸法Ｌ２を従来のレセプタクルＡ’に比べて小さくすることができる。したがって、基板にレセプタクルＡを表面実装する際に必要な実装面積Ｓ１が従来のレセプタクルＡ’の実装面積Ｓ２に比べて小さくて済むから、レセプタクルＡが実装される機器の小型化を図ることができる。
【００２９】
【発明の効果】
上述のように、請求項１の発明は、先端面に開口する中空部の内面に端子片を配設したプラグの先端部が挿入されるプラグ挿入孔が前面に開口し、プラグ挿入孔を通してプラグの先端部が挿入されるプラグ挿入空間を内部に備えたコネクタ本体と、プラグ挿入空間に挿入されるプラグの端子片に電気的に接続されるコンタクトとを備え、コネクタ本体には、プラグ挿入空間に挿入されたプラグの中空部に挿入される突出部が設けられ、当該突出部には端子片と対向する面に接触片収納溝が形成されるとともに、コネクタ本体の後面から突出部の基部にかけてコンタクトが圧入される圧入溝がプラグ挿入方向に沿って形成され、コンタクトは、幅方向の両側縁に側方に突出する圧入片が形成され、コネクタ本体の後面側から圧入溝内に圧入されて圧入片を圧入溝に係合させることで圧入溝内に固定される基部と、当該基部の前端部からプラグ挿入孔側に向かって延設され、略く字状に形成された折曲部を接触片収納溝から外側に突出させた状態で接触片収納溝内に配置され、プラグ挿入空間に挿入されるプラグの端子片に弾接する接触片とを一体に有し、突出部の内部であって、プラグの挿入方向においてプラグ挿入空間と重なる部位に圧入溝の少なくとも一部を設けたことを特徴とし、コンタクトは突出部からプラグ挿入空間内に一部を臨ませた状態で突出部内に配設されているので、プラグをプラグ挿入孔から挿入すると、中空部内に突出部が挿入されてコンタクトと端子片とが電気的に接続され、コンタクト保持部の少なくとも一部が、プラグの先端部に形成された中空部に挿入される突出部内に設けられているので、コンタクトとプラグの先端部とが干渉する虞はなく、したがってコンタクトをコネクタ本体に保持するために必要な空間とプラグ挿入空間の一部をプラグの挿入方向においてオーバーラップさせることができ、その結果コンタクトの保持のみに必要な空間が小さくなり、コンタクトの保持に必要な空間を従来のコネクタと同じだけ確保したとしても、全体としてプラグ挿入方向におけるコネクタ本体の寸法を小さくできるという効果があり、しかもコネクタ本体を基板に実装するのに必要な実装面積が小さくなるから、このコネクタを実装する機器の小型化を図れるという効果がある。
【図面の簡単な説明】
【図１】  実施形態１のコネクタを示す断面図である。
【図２】  同上のコネクタの外観斜視図である。
【図３】  同上のコネクタを上方から見た図である。
【図４】  同上のコネクタに用いるコンタクトの固定方法を説明する説明図である。
【図５】  同上のコネクタと従来のコネクタの基板の占有面積を比較する説明図である。
【図６】（ａ）は参考例のコネクタを示す断面図であり、（ｂ）はコンタクトを示す正面図である。
【図７】  従来のコネクタの接続状態を説明する断面図である。
【図８】  同上のコネクタを上方から見た図である。
【符号の説明】
Ａ  レセプタクル
Ｂ  プラグ
１  コネクタ本体
２  ボディ
３  シェル
４  プラグ挿入孔
５  プラグ挿入空間
６  ガイド部
９  基部
１０  コンタクト
１１  基部
２１  接続部
２２  中空部
２３  端子片
【図１】
0004212012.tif 000002
【図２】
0004212012.tif 000003
【図３】
0004212012.tif 000004
【図４】
0004212012.tif 000005
【図５】
0004212012.tif 000006
【図６】
0004212012.tif 000007
【図７】
0004212012.tif 000008
【図８】
0004212012.tif 000009